【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
計測装置と、
前記計測装置と通信する情報機器と、を備え、
前記計測装置は、
生体情報を計測する生体情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報とを前記情報機器に送信する送信部と、を備え、
前記情報機器は、
位置情報を計測する位置情報計測手段と、
前記計測装置から送信された計測時刻情報、および、当該計測時刻情報に対応する位置情報を記憶する情報機器側記憶手段と、を備える
ことを特徴とする計測情報管理システム。
【請求項２】
請求項１に記載の計測情報管理システムにおいて、
前記生体情報は、脈拍数である
ことを特徴とする計測情報管理システム。
【請求項３】
請求項２に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項４】
請求項１から請求項３のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項５】
請求項１から請求項４のいずれか一項に記載の計測情報管理システムにおいて、
前記情報機器と通信するサーバーを備え、
前記情報機器は、前記情報機器側記憶手段に記憶された前記計測時刻情報および前記位置情報を、前記サーバーに送信する情報機器側送信部を備え、
前記サーバーは、前記情報機器から送信された前記計測時刻情報および前記位置情報を記憶するサーバー側記憶手段を備える
ことを特徴とする計測情報管理システム。
【請求項６】
計測装置と、
前記計測装置と通信する情報機器と、を備え、
前記計測装置は、
生体情報を計測する生体情報計測手段と、
位置情報を計測する位置情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報および前記位置情報とを含む送信情報を前記情報機器に送信する送信部と、を備え、
前記情報機器は、前記送信情報に基づいて、前記計測時刻情報および前記位置情報の少なくとも１つに関する情報を表示する表示手段を備える
ことを特徴とする計測情報管理システム。
【請求項７】
請求項６に記載の計測情報管理システムにおいて、
前記生体情報は、脈拍数である
ことを特徴とする計測情報管理システム。
【請求項８】
請求項７に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項９】
請求項６から請求項８のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項１０】
請求項６から請求項９のいずれか一項に記載の計測情報管理システムにおいて、
前記情報機器と通信するサーバーを備え、
前記情報機器は、前記計測時刻情報および前記位置情報を、前記サーバーに送信する情報機器側送信部を備え、
前記サーバーは、前記情報機器から送信された前記計測時刻情報および前記位置情報を記憶するサーバー側記憶手段を備える
ことを特徴とする計測情報管理システム。
【請求項１１】
計測装置と、
情報機器と、
サーバーと、を備え、
前記計測装置は、
生体情報を計測する生体情報計測手段と、
位置情報を計測する位置情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報および前記位置情報とを含む送信情報を前記サーバーに送信する送信部と、を備え、
前記サーバーは、
前記送信情報を記憶するサーバー側記憶手段と、
前記情報機器の要求に基づき前記送信情報を提供する、サーバー側通信部と、を備え、
前記情報機器は、前記送信情報に基づいて、前記計測時刻情報および前記位置情報の少なくとも１つに関する情報を表示する表示手段を備える
ことを特徴とする計測情報管理システム。
【請求項１２】
請求項１１に記載の計測情報管理システムにおいて、
前記生体情報は、脈拍数である
ことを特徴とする計測情報管理システム。
【請求項１３】
請求項１２に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項１４】
請求項１１から請求項１３のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項１５】
生体情報を計測する生体情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報とを送信する送信部と、を備える
ことを特徴とする計測装置。
【請求項１６】
請求項１５に記載の計測装置において、
前記生体情報は、脈拍数である
ことを特徴とする計測装置。
【請求項１７】
請求項１６に記載の計測装置において、
前記計測装置側記憶手段は、前記生体情報判定部で脈拍数が所定の閾値以上であると判定された場合、前記計測時刻情報を記憶する
ことを特徴とする計測装置。
【請求項１８】
請求項１５から請求項１７のいずれか一項に記載の計測装置において、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測装置。
【請求項１９】
請求項１５から請求項１８のいずれか一項に記載の計測装置において、
位置情報を計測する位置情報計測手段を備える
ことを特徴とする計測装置。
【請求項２０】
生体情報を計測する生体情報計測手段と、
位置情報を計測する位置情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報および前記位置情報とを送信する送信部と、を備える
ことを特徴とする計測装置。
【請求項２１】
請求項２０に記載の計測装置において、
前記生体情報は、脈拍数である
ことを特徴とする計測装置。
【請求項２２】
請求項２１に記載の計測装置において、
前記計測装置側記憶手段は、前記生体情報判定部で脈拍数が所定の閾値以上であると判定された場合、前記計測時刻情報を記憶する
ことを特徴とする計測装置。
【請求項２３】
請求項２０から請求項２２のいずれか一項に記載の計測装置において、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測装置。
【請求項２４】
外部から生体情報を含む情報を受信する情報受信部と、
位置情報を計測する位置情報計測手段と、
所定時刻を表す時刻情報と、当該時刻情報に対応する前記位置情報と、当該時刻情報に対応する前記情報受信部で受信した前記生体情報とを関連付けて記憶する情報機器側記憶手段と、
前記時刻情報および前記位置情報の少なくとも１つの情報を表示する表示手段と、を備える
ことを特徴とする情報機器。
【請求項２５】
請求項２４に記載の情報機器において、
前記生体情報は、脈拍数である
ことを特徴とする情報機器。
【請求項２６】
請求項２４または請求項２５に記載の情報機器において、
前記生体情報および前記時刻情報と対応付けられた前記位置情報を、前記表示手段に表示される地図上にマーカーを配置することによって表示する
ことを特徴とする情報機器。
【請求項２７】
請求項２６に記載の情報機器において、
前記生体情報の状態により、前記マーカーの色が異なる
ことを特徴とする情報機器。
【請求項２８】
所定時刻における生体情報、位置情報を含む情報を受信する情報受信部と、
前記所定時刻を表す時刻情報および当該時刻情報に対応する前記情報受信部で受信した前記位置情報の少なくとも１つの情報を表示する表示手段と、を備える
ことを特徴とする情報機器。
【請求項２９】
請求項２８に記載の情報機器において、
前記生体情報は、脈拍数である
ことを特徴とする情報機器。
【請求項３０】
請求項２８または請求項２９に記載の情報機器において、
前記生体情報および前記時刻情報と対応付けられた前記位置情報を、前記表示手段に表示される地図上にマーカーを配置することによって表示する
ことを特徴とする情報機器。
【請求項３１】
請求項３０に記載の情報機器において、
前記生体情報の状態により、前記マーカーの色が異なる
ことを特徴とする情報機器。
【請求項３２】
計測装置側記憶手段と、生体情報を計測する生体情報計測手段とを備える計測装置と、
前記計測装置と通信し、情報機器側記憶手段と、位置情報を計測する位置情報計測手段とを備える情報機器とを有する計測情報管理システムの計測情報管理方法であって、
前記生体情報が所定の生体情報条件に該当するかを判定する生体情報判定ステップと、
前記生体情報が前記所定の生体情報条件に該当すると判定された場合、前記生体情報が計測された計測時刻に対応する計測時刻情報を前記計測装置側記憶手段に記憶させる記憶制御ステップと、
前記計測時刻情報と、当該計測時刻情報に対応する前記生体情報とを前記情報機器に送信する送信ステップと、
前記計測装置から送信された計測時刻情報、および、当該計測時刻情報に対応する前記位置情報を、前記情報機器側記憶手段に記憶させる情報機器側記憶制御ステップと、を含む
ことを特徴とする計測情報管理方法。
【請求項３３】
請求項３２に記載の計測情報管理方法において、
前記生体情報は、脈拍数である
ことを特徴とする計測情報管理方法。
【請求項３４】
請求項３３に記載の計測情報管理方法において、
前記生体情報判定ステップで脈拍数が所定の閾値以上であると判定された場合、前記計測時刻情報を前記計測装置側記憶手段に記憶させる
ことを特徴とする計測情報管理方法。
【請求項３５】
請求項３２から請求項３４のいずれか一項に記載の計測情報管理方法において、
前記計測装置は、運動情報を計測する運動情報計測手段を備え、
前記運動情報が所定の運動情報条件に該当するかを判定する運動情報判定ステップを備え、
前記記憶制御ステップは、前記運動情報が前記所定の運動情報条件に該当し、かつ、前記生体情報が前記所定の生体情報条件に該当すると判定された場合、前記計測時刻情報を前記計測装置側記憶手段に記憶させる
ことを特徴とする計測情報管理方法。
【請求項３６】
計測装置と通信し、情報機器側記憶手段と、表示手段と、位置情報を計測する位置情報計測手段とを備える情報機器により実行される計測情報管理プログラムであって、
前記計測装置が計測した生体情報が所定の生体情報条件に該当した場合の、前記生体情報が計測された計測時刻を示す計測時刻情報を、前記計測装置から受信する受信ステップと、
前記計測時刻情報、および、当該計測時刻情報に対応する位置情報を、前記情報機器側記憶手段に記憶させる情報機器側記憶制御ステップと、を含む
ことを特徴とする計測情報管理プログラム。
【請求項３７】
請求項３６に記載の計測情報管理プログラムにおいて、
前記生体情報は、脈拍数である
ことを特徴とする計測情報管理プログラム。
【請求項３８】
請求項３６または請求項３７に記載の計測情報管理プログラムにおいて、
前記生体情報および前記計測時刻情報と対応付けられた前記位置情報を、前記表示手段に表示される地図上にマーカーを配置することによって表示させる表示制御ステップを含む
ことを特徴とする計測情報管理プログラム。
【請求項３９】
請求項３８に記載の計測情報管理プログラムにおいて、
前記生体情報の状態により、前記マーカーを異なる色で表示させる
ことを特徴とする計測情報管理プログラム。